(57)【要約】【課題】  片手鍋においては把柄が鍋体と一体に固着状態に突設しているため、キッチンコンロや卓上での使用時・不使用時に邪魔になり、使用者にとって課題となっていたことに鑑み、あらゆる使用の場においても合理的な把柄の取付装置を提供することを目的とする。【解決手段】  本考案は、鍋体の側面部に固着する取付板４の後側部４'の左右両側に設けた耳片７，７間に駆動部材９の先端部１０を介装軸支し、この駆動部材の前端部と駆動部材に係脱するロック部材１４の内前側部との間に弾機１２を介装し、前記ロック部材の前後作動によりロック部材による前記両耳片部の軸支部と駆動部材の先端部との係脱を介して柄体１を水平，垂直及び倒伏する状態に変動し得るように成るものである。【選択図】    図４
0003125445.tif 000002
【実用新案登録請求の範囲】
【請求項１】
鍋体の側面部に取付く柄体が水平，垂直及び倒状の各状態に変動し得るように成ることを特徴とする調理器用柄の取付装置。
【請求項２】
鍋体の側面部に固着する取付板の後側部左右両側に設けた耳片間に駆動部材の先端部を介装軸支し、この駆動部材の前端部と駆動部材に係脱するロック部材の内前側部との間に弾機を介装し、前記ロック部材の前後作動によりロック部材による前記両耳片部の軸支部と駆動部材の先端部との係脱を介して柄体を水平，垂直及び倒伏の各状態に変動せしめるようにすることを特徴とする調理器用柄の取付装置。
【考案の詳細な説明】
【技術分野】
【０００１】
本考案は、フライパンなどの調理用鍋において使用する把柄の取付装置に関するものである。
【背景技術】
【０００２】
従来、フライパンのような片手鍋においては把柄が鍋体と一体に固着状態に突設しているため、キッチンコンロや卓上での使用時でも不使用時でも長尺の把柄が邪魔になることがあり、使用者にとっては課題となっていた。これを改良しようとして、次のような公知文献が知られているが、それでも使用者には不便なものであった。
【０００３】
【特許文献１】実開平６−６６５３９号公報
【特許文献２】特許第３１５０９３５号公報
【特許文献３】特開２００２−１０２０８５号公報
【特許文献４】登録実用新案第３１０４７８６号公報
【考案の開示】
【考案が解決しようとする課題】
【０００４】
そこで、本考案はこのような欠点を解消することを目的に、あらゆる使用の場においても合理的な新しい把柄の取付装置を提供せんとするものである。
【課題を解決するための手段】
【０００５】
本考案は、鍋体の側面部に取付く柄体が水平，垂直及び倒伏する各状態に変動するように構成して成るものである。
【０００６】
また本考案は、鍋体の側面部に固着する取付板の後側部左右両側に設けた耳片間に駆動部材の先端部を介装軸支し、この駆動部材の前端部と駆動部材に係脱するロック部材の内前側部との間に弾機を介装し、前記ロック部材の前後作動によりロック部材による前記両耳片部の軸支部と駆動部材の先端部との係脱を介して柄体を水平，垂直及び倒伏する状態に変動し得るように成るものである。
【考案の効果】
【０００７】
人はキッチンコンロにおいてフライパンを使用するときは、柄体を完全に水平状態に固定しておいて使用すればよいし、キッチンコンロでの一時的な不使用状態時には柄体を垂直に持ち上げた状態に保持しておけばよい。
【０００８】
また、すき焼きなどの卓上での使用時でも、柄体を垂直に持ち上げた状態に保持して調理することによって、柄体が邪魔にならない。
【０００９】
また、完全に不使用時には柄体を鍋体上方に倒伏した状態に保持しておくことができて邪魔にならないから、家庭内における片手鍋の使用がきわめて便利になる。
【００１０】
いずれの操作も、ロック部材のレバー部に指先を掛けての前後作動によって簡単かつ確実に行うことができる。
【考案を実施するための最良の形態】
【００１１】
まず柄体を把持し、ロック部材のレバー部に指掛けしてこれを柄体方向に作動すると、それまで被套していたロック部材が取付板の両耳片部と駆動部材の先端部との軸支部から離脱して当該部分を開放するから、このような状態において、使用者の希望によって柄体を垂直状態に立てたり又は鍋体方向に倒伏状態にし、そのような各方向位置において前記ロック部材のレバーから手を離せば、ロック部材は再び取付板の両耳部及び駆動部材の先端部との軸支部に係合被套してロックされるようになる。（以上の操作による各作用については図３乃至図６参照）
【００１２】
キッチンコンロでの鍋の通常使用であれば長尺の柄体は水平状態に保持し、またキッチンコンロでの鍋の一時的な不使用時や卓上調理時には、柄体を垂直に持ち上げた状態に保持しておけばよいし、また不使用時においては鍋上方に完全に倒伏状態に保持するようにすればよい。
【００１３】
このように、各種の場における鍋の使用状況に応じて長尺の柄体を水平，垂直及び倒伏の状態に変動させることによって把柄を常に合理的に使用できるようにしているところに、本考案の特徴がある。
【実施例】
【００１４】
１は合成樹脂製又は木製の柄体で、この柄体の長手方向の中心部には通孔２を設ける。
【００１５】
３は前記柄体１の首部に設けたこみ部で、このこみ部は後記駆動部材９の凹部１３に嵌合するように成る。
【００１６】
４は鍋体ａの側面部に固着する取付板で、この取付板には鍋体に固着するビス孔５，５，５を設け、ビス６，６，６にて鍋体内側から装着し先端をかしめ止めする。
【００１７】
７，７は前記取付板４の後側部４'の左右両側部に突設した耳片で、この耳片にはそれぞれ通孔８，８を設ける。
【００１８】
９は先端部１０が前記耳片７，７の通孔８，８間に介装し支軸１１によって枢支される駆動部材で、この駆動部材の前端部と，前記駆動部材に被套する後記ロック部材１４の内前側部との間には弾機１２を介装し、このロック部材は弾機を介して前記取付板後側部の両耳片７，７部及び駆動部材の先端部１０上を前後に作動する。
【００１９】
１３は前記駆動部材９の凹部であり、この凹部には前記柄体１のこみ部３が嵌合する。
【００２０】
１４は前記両耳７，７部及び前記駆動部材９にその先端部１０を含み係合及び被套するロック部材で、このロック部材の後側部には一体に鍔状のレバー部１５を設ける。作動時には、このレバー部に指掛けしてロック部材を前後に作動することによって前記両耳片部及び駆動部材との係脱が行われる。
【００２１】
前記駆動部材９の凹部１３の前面部中央には螺孔１６を設け、この螺孔には前記柄体１の中心部に設けた通孔２を挿通する支杆１７の先端螺部１８を螺着するようにする。
【図面の簡単な説明】
【００２２】
【図１】全体の使用時の斜視図
【図２】全体部品の分解状態を示す斜視図
【図３】柄体の水平固定時の要部の側断面図
【図４】柄体の水平固定解放時の要部の側断面図
【図５】柄体の垂直状態時の要部の側断面図
【図６】柄体の倒伏状態時の要部の側断面図
【符号の説明】
【００２３】
１                    柄体
２                    通孔
３                    こみ部
４                    取付板
４'                  後側部
７，７                耳片
８，８                通孔
９                    駆動部材
１０                  駆動部材の先端部
１１                  支軸
１２                  弾機
１３                  凹部
１４                  ロック部材
１５                  鍔部
１６                  螺孔
１７                  支杆
１８                  螺部
【図１】
0003125445.tif 000003
【図２】
0003125445.tif 000004
【図３】
0003125445.tif 000005
【図４】
0003125445.tif 000006
【図５】
0003125445.tif 000007
【図６】
0003125445.tif 000008